(57)【特許請求の範囲】
【請求項１】
被験体（生体を除く）に塗布した塗布物質に磁性物質が含有するか否かを検出するための磁性計測方法であって、
塗布物質を塗布した該被験体を１．５Ｔ以上の強磁場空間内に所定時間入れる過程、
該強磁場空間から出した直後の被験体を、磁気遮蔽が施されたシールド空間内で磁気計測に用いる磁束計の近傍所定の距離を中心として所定の振幅で往復移動させ、その時の磁気変動の値を計測する過程、
該磁気変動が所定の閾値よりも大きいときに、該塗布物質に磁性物質が含有していることを検出する過程
を含むことを特徴とする塗布物質の磁性計測方法。
【請求項２】
前記塗布物質が、化粧品である
請求項１に記載の塗布物質の磁性計測方法。
【請求項３】
前記磁束計が、
脳磁計（ＭＥＧ）である
請求項１又は２に記載の塗布物質の磁性計測方法。
【請求項４】
前記強磁場空間が、
磁気共鳴装置（ＭＲＩ）又は機能的磁気共鳴装置（ｆＭＲＩ）の設置空間である
請求項１ないし３に記載の塗布物質の磁性計測方法。
【請求項５】
前記塗布物質の磁性計測方法において、
磁束計から１０ｃｍ程度離れた位置を中心に被験体を約１０ｃｍの振幅で往復移動させたときに、
前記磁気変動の閾値を１ｐＴないし１０ｐＴ、より好ましくは１ｐＴないし５ｐＴとする
請求項１ないし４に記載の塗布物質の磁性計測方法。
【発明の詳細な説明】
【０００１】
【発明の属する技術分野】
本発明は、磁性計測方法に関し、より詳しくは被験体（生体を除く）に塗布した塗布物質に磁性物質が含有するか否かを検出するための磁性計測方法に関する。
【０００２】
【従来の技術】
脳や心臓などの生理学的機能を研究する際に、脳・心臓などから発生する生体磁気を計測する方法が知られている。例えば脳から発生する生体磁気を計測する装置としては、ＳＱＵＩＤ（超伝導量子干渉素子）を使用した極めて高感度の脳磁計(ＭＥＧ：Magnetoencephalograph)などが用いられている。
脳磁計は、脳神経細胞の活動に伴って発生する極微弱な脳磁場を非侵襲、非接触で計測し、活動部位の３次元的局在推定や脳の時空間的な活動の解明、脳機能のマッピング作成などに有効な装置である。
【０００３】
脳磁計で用いられるＳＱＵＩＤ磁束計は、地磁気の１億分の１以下のレベルの磁場の変化を検出することができるため、装置を厳重に磁気遮蔽された磁気シールド環境に設置する必要がある。
一方、被験者が金属フレームの眼鏡をかけたまま脳磁計のセンサーに近づくだけでセンサーが飽和するほど、脳磁計は微弱な磁界のみを測定できる装置である。
【０００４】
また、化粧品などの塗布した状態で用いる塗布物質に酸化鉄などが含有していることは公知であるが、塗布状態での磁性物質の含有量や成分を知ることは困難であった。
【０００５】
【発明が解決しようとする課題】
本発明は上記従来技術の有する問題点に鑑みて創出されたものであり、被験体（生体を除く）表面に化粧品や薬品を塗布した状態で、塗布物質に含まれる金属等の磁性物質を検出可能な技術を提供することを目的とする。
【０００６】
【課題を解決するための手段】
上記の目的を達成するために、本発明の塗布物質の磁性計測方法は、以下の特徴を有する。
すなわち、被験体（生体を除く）に塗布した塗布物質に磁性物質が含有するか否かを検出するための磁性計測方法であって、塗布物質を塗布した該被験体を１．５Ｔ以上の強磁場空間内に所定時間入れる過程、該強磁場空間から出した直後の被験体を、磁気遮蔽が施されたシールド空間内で磁気計測に用いる磁束計の近傍約１０ｃｍの位置において振幅約１０ｃｍで移動させ、その時の磁気変動の値を計測する過程、該磁気変動が１ｐＴないし１０ｐＴ、より好ましくは１ｐＴないし５ｐＴの間の閾値よりも大きいときに、該塗布物質に磁性物質が含有していることを検出する過程を含むことを特徴とする。
【０００７】
ここで、塗布物質が、化粧品である請求項１に記載の塗布物質の磁性計測方法を提供することもできる。
【０００８】
本発明において、磁束計が、脳磁計（ＭＥＧ：Magnetoencephalograph）であってもよい。特に、本発明の実施において、極めて高感度なＳＱＵＩＤ（超伝導量子干渉素子）を用いた脳磁計に好適である。
【０００９】
前記強磁場空間が、磁気共鳴装置（ＭＲＩ）又は機能的磁気共鳴装置（ｆＭＲＩ）の設置空間であってもよい。
【００１０】
【発明の実施の形態】
本発明の実施形態を図面に示した実施例に基づいて説明する。なお、実施形態は、本発明の主旨から逸脱しないかぎり適宜変更可能なものである。
本実施例において、測定対象者の脳部から発生する生体磁気を計測する次のような生体磁気計測装置（以下、本装置と呼ぶ。）を用いる。本装置は、図１のように計測器（１）と、その支持具（２）、測定対象者（以下、被験者と呼ぶ。）（３）が横臥するための寝台（４）からなる脳磁計(ＭＥＧ：Magnetoencephalograph)（Ａ）と、生体磁気以外の外部からの磁気影響を遮断するシールドルーム（Ｂ）とから構成される。なお、本発明の実施においては、後述の実施例の通り、塗布物質を塗布した被験体を生体磁気計測装置により測定するだけであり、生体は被験体として用いない。
【００１１】
計測器（１）は、少なくとも脳部の生体磁気を計測する磁束計であって、ＳＱＵＩＤ（超伝導量子干渉素子）を使用した極めて高感度の計測が可能な装置である。このような装置は公知であり、また本発明の実施においては、生体磁気を計測できる任意の磁束計、例えば誘導コイル型磁束計を用いてもよい。
本実施例における計測器（１）はシールドルーム（Ｂ）天井から吊設された略円筒状であり下端の傾斜が緩やかになっている。計測器内部にはＳＱＵＩＤが配され、それを超伝導状態にするために液体ヘリウム等の冷却剤に漬けている。液体ヘリウムは図示しない配管によって供給・排出される。
【００１２】
また、吊設するための支持具（２）は上端を天井面に固設した支柱部（２ａ）と、支柱部（２ａ）下端において計測器（１）と共に揺動可能に枢支された揺動部（２ｂ）から大きく構成される。これにより、被験者の頭部の所望の部位を被覆し、脳部の生体磁気を計測可能にしている。
【００１３】
寝台（４）は、シールドルーム（Ｂ）の床上に配置され、非磁性の金属（ステンレス、アルミ等）や木材、樹脂などから形成されている。被験者は、寝台（４）上に横臥し、計測器（１）下端部（５）に頭部を嵌入させて測定を行う。
【００１４】
本装置におけるシールドルーム（Ｂ）は、建物の既存の一室を磁気遮断室とする工法により建造されたものであり、パーマロイを用いて作られている。パーマロイはニッケルと鉄の磁性合金であり、金属材料の中でも最大の透磁率をもち、磁力線が非常に通りやすい性質の金属である。そのため、外部からの磁力線はパーマロイの壁内を通るため、内部への磁力線の遮蔽に極めて優れた効果を奏する。
パーマロイを用いたシールドルーム（Ｂ）ではＳＱＵＩＤの使用時に交流・直流磁場の受動対策が可能である。
【００１５】
さて、このように脳磁計は極めて高感度に磁気の変化をとらえるものであり、本発明はこの特性に鑑みて従来困難であった塗布物質の磁性を計測することを提案する。
【００１６】
特に、化粧品は多くの女性が皮膚に塗布しているが、一般には強磁場空間に置いた後に磁気を帯びうる性質が認知されていなかった。
本件出願人による実験では、特にアイシャドーやファウンデーション、口紅などの化粧品は、十分に計測可能であることが分かった。
【００１７】
一般に磁気を帯びやすい金属としては鉄やコバルト、ニッケルが知られているが、化粧品においてはニッケルは用いられることがほとんどなく、鉄の酸化物（四三酸化鉄・二三酸化鉄など）が多用されている。例えば、紫外線を防止する機能を持つＵＶファウンデーションでは、酸化亜鉛、酸化鉄などの酸化金属が紫外線を散乱させるために配合されており、特に強い磁性を帯びるようになる。
【００１８】
本発明が計測の対象とする塗布物質は、上記化粧品に限らず、酸化鉄などの磁性体を含有する薬品や、その他磁性を帯びやすいいかなる物質も対象とする。
また、化粧品、薬品等の磁性については、明確に成分が把握できない上、組み合わせて塗布されることが多い。
【００１９】
ところで、しばしば脳活動を高い時間分解能で計測する脳磁計（ＭＥＧ）と、脳活動位置を同定するために脳構造を撮像する磁気共鳴装置（ＭＲＩ:magnetic resonance imaging）や脳活動を高い空間分解能で計測する機能的磁気共鳴装置（ｆＭＲＩ: functional MRI）とは、併用されている場合が多い。
【００２０】
ＭＲＩ・ｆＭＲＩは、静磁場磁石、傾斜磁場コイルなどにより強磁界が生じる。通常、ＭＲＩ・ｆＭＲＩは数Ｔ（テスラ）程度までの磁場を作り出している。
このような強磁場環境化では被験体が磁化されるため、化粧品、薬品等を塗布した被験体（生体を除く）をＭＲＩ・ｆＭＲＩに入れた後に、磁気計測する場合には、計測結果に影響を及ぼす残留磁化が残る可能性がある。
【００２１】
そこで、本発明の実施例として、図２に示すように、塗布物質である化粧品等の通常使用相当量を紙袋等に入れて被験体（１１）を作成し、該被験体（１１）をＭＲＩ・ｆＭＲＩの空間内に所定の時間、例えば１０秒ないし１分間置いて特に強い磁気を帯びさせ、直後に、磁束計近傍で該被験体（１１）を動かし、そのときの磁気変動を測定する。
例えば、測定器（１）から３ｃｍ〜２０ｃｍ程度、より好ましくは１０ｃｍ程度離した状態で被験体（１１）を揺動させることによって、計測への影響の有無を知ることができる。揺動させる振幅は３ｃｍないし２０ｃｍ、より好ましくは１０ｃｍ程度とするのが望ましい。
【００２２】
磁束計における磁気変動の測定は、通常被験者が静止状態にあるときに測定されるものである。被験者の動きは数ミリ程度以内に抑える必要があって、それ以上の運動を行うと該運動による測定部位と磁束計との距離変化による磁気変動を検出してしまう。
本発明では、その特性を逆に利用して、磁束計近傍において被験体を比較的大きく動かすことで、被験体の磁性による磁気変動をより効果的に検出することを特徴とする。
【００２３】
被験体を手で動かす際には非磁性の棒体（１０）の先端に被験体（１１）を装着した上で、他端を手で把持する。該作業者はなるべく測定器（１）から離れて運動することが望ましく、運動も極力手首の運動にとどめるのが望ましい。これは測定器（１）近傍で人体を動かすと、筋肉の運動により磁場変化が生じやすいためであり、該被験体固有の磁気変動を正確に測定するために必要である。
棒体（１０）の長さは２ｍ程度とすると、作業者の筋肉運動による磁場変化を検出することなく、かつ正確に被験体を移動させることができるので、確実に試験を行うことができる。
【００２４】
なお被験体の試験は、本実施例の方法に限らず、例えば非磁性のハサミで被験体を挟持して運動させたり、被験体として樹脂板等に通常使用相当量の化粧品等を塗布したものを用いるなど、任意に変更可能である。
【００２５】
表１は本件出願人らにより、通常の使用量の化粧品を測定器（１）付近で１０ｃｍ程度の振幅で動かした時の磁気変動の測定値である。
【００２６】
【表１】
0003650820.tif 000002
【００２７】
表に明らかなとおり、ＭＲＩ・ｆＭＲＩから出た後には、化粧品の多くが１０ｐＴ（ピコテスラ）以上の磁気変動を生じており、計測に影響を及ぼす可能性が極めて高いことを示している。
【００２８】
本発明では、強磁場空間に置かれた後の被験体を磁束計近傍で移動させた時の磁気変動値が、１ないし１０ｐＴ、好ましくは１ないし５ｐＴよりも大きいときに、特に被験体に塗布している化粧品、薬品に金属等の磁性物質が含有しているとの結果を出す。
【００２９】
以上のように本発明は、化粧品、薬品等に含まれる鉄、酸化鉄等の金属の検出方法として用いることができる。従来、化粧品などに酸化鉄などが含有していることは公知であるが、その含有量や成分を知ることは困難である。
しかし、本発明のように一旦強磁場空間に存置した後に、磁束計により測定をおこなうことで、磁化しやすい鉄・コバルト・ニッケルなどが多く含有する化粧品・薬品は特に強い磁気変動を生じるため、予め所定の測定環境下で金属の種類、質量と磁気変動量の関係を調べておくことにより、極めて簡易に該物質内の鉄分等を測定することが可能となる。
【００３０】
【発明の効果】
本発明は、上述の構成を備えるので、以下の効果を奏する。
請求項１に記載の発明によると、日常では磁化による影響が考えにくいような塗布物質についても、被験体等を強磁場空間内に所定時間入れた後に、シールド空間内で磁束計近傍において移動させることで、極めて高感度に磁場変化を検出することができる。これにより、被験体（生体を除く）表面に塗布した状態や、薄く塗布した微量な塗布物質であっても、それに含まれる磁性物質を検出することができる。
【００３１】
請求項２に記載の発明によると、塗布して用いられることの多い化粧品の磁性を計測することができる。
【００３２】
請求項３に記載の発明によると、極めて微弱な磁気を捕らえる脳磁計において本発明を用いることができるので、計測の高精度化に寄与する。
【００３３】
請求項４に記載の発明によると、磁束計（特に脳磁計）と併用される機会の多い、磁気共鳴装置（ＭＲＩ）または機能的磁気共鳴装置（ｆＭＲＩ）を用いることで、簡便に本発明の塗布物質の磁性計測方法を提供することができる。
【００３４】
請求項５に記載の発明によると、所定の条件において測定するので、測定精度の向上を図ることができる。
【図面の簡単な説明】
【図１】  本発明の実施例において用いる生体磁気計測装置の正面図である。
【図２】  本発明における塗布物質の磁性計測方法の実施例である。
【符号の説明】
Ａ      脳磁計
Ｂ      シールドルーム
１      計測器
２      支持具
２ａ      支柱部
２ｂ      揺動部
３      被験者
４      寝台
５      計測器下端部
１０      棒体
１１      被験体
【図１】
0003650820.tif 000003
【図２】
0003650820.tif 000004